Podtech/llm-jp-corpus-v4-ja_patent huggingface dataset:
(57)【要約】      （修正有）【課題】２チャンネル出力の低周波治療器で、確実に４極接触させることができる。【解決手段】グリップ部先端面に低周波電流を流す４個の電極（導電チップ）を有し、この導電チップは先端面を丸くした棒状の物である、この導電チップ４本を同一面に同一方向に立てた一体構造で、各チップは四角形に配置した４極プローブ。２チャンネルの低周波電流を流す接続で、各チャンネルの極性をクロスさせて電極に接続して干渉波を得る４極プローブの接続構造。【選択図】図１
0003101943.tif 000002
【実用新案登録請求の範囲】
【請求項１】
グリップ部先端面に低周波電流を流す４個の先端を丸くした棒状の導電チップを突設してなる４極プローブ。
【請求項２】
２チャンネルの低周波電流を流す接続する際に、各チャンネルの極性をクロスさせて電極に接続して干渉波を得るようにした４極プローブの接続構造。
【考案の詳細な説明】
【技術分野】
【０００１】本考案は４極プローブ及びその接続構造に関するものである。
【背景技術】
【０００２】低周波電流を用いた従来の２チャンネル出力低周波治療器は粘着パッドを用いたものや、２極に分けた２本のプローブのものが一般的に知られている。
美容関係では微弱電流低周波通電の４極プローブはまだ無い。
【考案の開示】
【考案が解決しようとする課題】
【０００３】２チャンネル出力の低周波治療器でプローブによる皮膚通電をするものは、２本のプローブを使用している。この為、確実に４極接触させるには両手を必要とする。
片手に２本重ねて持って使用しても常に４極を同時に接触させることは難しい。
一人で行う場合は両手がふさがる為、他の作業が出来ない不便さがある。
本考案はこれらの欠点を解消しようとするものである。【０００４】頭部など見えない部分に、２本のプローブを使って自分の手で４極同時に接触させることは困難であり他人の手が必要である。
本考案はこの欠点を解消しようとするものである。【０００５】２極のプローブ２本で４極にして使用する場合、干渉波を得る極性組合せの向きに注意が必要で間違えやすい。本考案はこの欠点を解消しようとするものである。
【課題を解決するための手段】
【０００６】グリップ部先端面に低周波電流を流す４個の電極（導電チップ）を有し、この導電チップは先端面を丸くしたφ３〜φ１５ｍｍの棒状の物で（角柱でも良い）、５〜４０ｍｍの長さの物である。この導電チップ４本を同一面に同一方向に立てた一体構造で、各チップは一辺が５〜８０ｍｍの四角形に配置した４極プローブ。【０００７】２チャンネルの低周波電流を流す接続する際に、各チャンネルの極性をクロスさせて電極に接続して干渉波を得るようにした４極プローブの接続構造。
【考案の効果】
【０００８】４極を一体化することにより両手を使用することなく片手でプローブを持つことが出来、導電チップに高さを取ることで、湾曲した皮膚にも４極を同時に接触させる事が容易に出来る、よって２チャンネルの低周波電流の通電機能が一人でしかも片手で達成出来る。【０００９】プローブの導電チップの極性組合せは導電チップの向き位置を気にすること無く、干渉波を得られる状態で手軽に使用できる。
【考案を実施するための最良の形態】
【００１０】グリップ部先端面に低周波電流を流す４個の電極（導電チップ）を有し、この導電チップは先端面を丸くしたφ８ｍｍの棒状の物で、１５ｍｍの長さの物である。この導電チップ４本を同一面に同一方向に立てた一体構造で、各チップは一辺が２０ｘ２５ｍｍの四角形に配置した４極プローブ。
各チャンネルの極性をクロスさせて電極に接続して干渉波を得るようにした４極プローブの接続構造。
低周波発信装置本体は別に作られ本体とプローブ間を導線ケーブルで接続する。又、グリップに低周波発信ユニットを組み込んだ一体型でも良い。
【実施例】
【００１１】以下、添付図面に従って実施例を説明する。
１はグリップ部で片手の指で握る、２は導電性チップで４個有り、皮膚に接触させ、低周波電流が皮膚を通して流れる。３は４低周波発信装置本体からのケーブルで、これにより２チャンネルの低周波電流をプローブに供給する。【００１２】４極が湾曲した皮膚に接触させる事が出来る構造は２導電チップを棒状のφ８ｍｍで片短面を丸くし、長さが１５ｍｍ程度の長さとし、この導電チップ４本を同一面に同一方向に立て、各チップは四角形に２０ｘ２５ｍｍに配置し取り付ける。【００１３】導電チップ２ａと２ｄ間に２チャンネルの一方を接続、２ｂと２ｃ間に他方を接続することで導電チップの近傍で干渉波が得られる。【００１４】５は一体型グリップで６低周波発信ユニットを内蔵したグリップで一体型プローブを構成、片手で低周波電流を皮膚から通電することが出来る。
【図面の簡単な説明】
【００１５】
【図１】４極プローブを示した平面図と４極プローブに２チャンネルの低周波電流を供給する低周波発信装置本体である。
【図２】導電チップの位置を示した４極プローブ底面図及び２チャンネルの低周波電流の接続指示図である。
【図３】低周波発信ユニットを内蔵した一体型プローブを示した側面図である。
【符号の説明】
【００１６】  １    グリップ
２    導電チップ
３    低周波発信装置本体からのケーブル
４    低周波発信装置本体
５    低周波発信ユニットを内蔵した一体型グリップ
６    低周波発信ユニット
【図１】
0003101943.tif 000003
【図２】
0003101943.tif 000004
【図３】
0003101943.tif 000005
(57)【要約】【課題】  本考案はバンド本体１に小物収納ポケット２を設け、小物やポータブルオーディオ等を激しい運動や作業中にハンドフリーの状態、且つ快適に身体に固定装着する。【解決手段】  本考案はバンド本体１に小物収納ポケット２を設け、その表面にジッパー３にて開閉自在となるようにし、且つ、ＭＤ等を収納した際にはイヤホーンを耳穴に入れために小物収納ポケット２の外部に出せるように弁付き開口部がある。また、バンド本体１の内側の身体に当たる部分はパッティング部１０により収納物による衝撃を緩衝し、また、バンド本体１に接続したストラップ７は長さ調整バックル８により周径が調整でき、且つ、Ｏｎ−Ｏｆｆ接合バックル９により太さの異なる身体どの部位にもワンタッチで接合、取り外し出来る。【選択図】  図１
0003101941.tif 000002
【実用新案登録請求の範囲】
【請求項１】
ＭＤプレーヤー等のポータブルオーディオやラジオ等及び又は小物貴重品が収納でき、水泳等の運動や作業時に額、首等の身体のかたちに沿ってピッタリと固定し携帯が出来、必要に際し伸長性を有するコードがつながった耳栓の形状のイヤホーンを出すことも可能なることを特徴とする収納装着固定バンド
【考案の詳細な説明】
【技術分野】
【０００１】  本考案は、小物やポータブルオーディオプレーヤを収納し、身体へピッタリ固定装着するバンドに関するものである。
【背景技術】
【０００２】  ジョギング、水泳等のハンドフリーの状態が好ましい運動、作業時に貴重品等の小物やポータブルプレーヤーを携帯したい場合は、ポケットに入れるか、リックサックに入れるか等の身体の動きで不安定な装着や体動に制約がある点を我慢して装着携帯していた。
【考案の開示】
【考案が解決しようとす課題】
【０００３】  従来の収納装着は運動時等の身体の動きによりブラブラと不安定に動いたり、身体に断続的に当たるため、心地良く運動や作業がしづらかった。さらに、携帯式のオーディオプレーヤー、ラジオを水泳等の衣類やカバンを携帯できない場合には収納、装着して聴くことが出来なかった。
【課題を解決するための手段】
【０００４】  本考案は、装着バンドに防水収納ポケットを設け、当該バンドを直接に額、首、腕等の身体の一部にピッタリとフィットさせて固定し、またオーディオプレーヤー等を収納した際は接続のイヤホーンをバンド内部から外部へ出せて、耳栓機能を併せ持ち水分の耳穴への侵入を抑えながら再生情報等を聴くことが出来ることにより問題点を解決している。
【考案の効果】
【０００５】  上述の様に、本考案の収納バンドはピッタリと身体に心地良く装着固定出来るので、激しい運動や作業を妨げず、且つオーディオプレーヤー等を収納するとたとえ裸体での水泳中でも再生情報である音楽や指導指示内容を聴きながら運動や作業が出来る。
【考案の実施するための最良の形態】
【０００６】  バンドの一部分は開口ファスナー付きのポケット状をしており、この部分に小物やＭＤ等のオーディオプレーヤーなどが収納できる。又、このポケット部の裏面は収納物が身体に当たる違和感を緩衝するパット機能を有する。また、バンドの両末端方向は長さ調整機構と互いのＯＮとＯＦＦ接合機構有するストラップで出来ており、身体の一部に運動や作業時にピッタリと固定装着できる。また、ＭＤ等を収納した際にはコードにつながった一例として耳栓形状のイヤホーンを引き出せて、水の侵入等を最小にする小開口穴をポケット部に有する。また、バンドの外表面は流体の抵抗が小さい形態・構造をしている。
【実施例】
【０００７】  以下、添付図面に従って一実施例を説明する。１はスポーツ時などに身体に直接固定されて快適感がある素材で形成されたバンド本体、２は小物、ＭＤなどのポータブルオーディオを収納するために、当該バンド本体１内に形成された小物収納ポケットで、この小物収納ポケット２はジッパー３により開閉自在となる。また、バンド本体１の外表面は流体の抵抗の小さい形態・構造をしている。４は小物収納ポケット２表面上の小開口穴で、水などの外部からの浸入を少なくするため、弁構造を有する開口穴であり、ＭＤ等のポータブルオーディオを収納した場合は、５である伸長性を有し、耳穴部への挿入部分が水泳用等には耳栓形状をしているイヤホーン５を小物収納ポケット２から外部に出して、バンド本体１の表面にあるイヤホーン５のコート掛け６に掛けて耳穴へ挿入して再生聴覚情報を聞くことができる。７は弾性性状のゴム等適宣素材を用いたバンド本体に接続したストラップで、８はストラップ７の長さ調整バックル、９はワンタッチＯｎ−Ｏｆｆ接合バックルで、両バックル８および９により、身体の太さが異なる部分に巻き付けても、ぴったりと固定自在となる。【０００８】  図２は断面図でＭＤを収納した１実施例を示す。１０は図１では裏側の内側部分で、ＭＤ等の硬い収納物が装着固定中に身体にあたるなどの際の局所的な衝撃や圧迫感をやわらげて、やさしい感触で身体にフィットするように熱弾性ポリマー材等を用いて構造的な緩衝作用を有する。【０００９】  本考案の実施例でも明らかなように上述の如き構成からなるものであるから、小物収納物を快適な感触で、運動等の妨げによりならない装着固定が、衣類やカバンのない状態で身体の望みの部分に出来る。また、運動や作業中にＭＤ等の再生情報である音楽や指導内容を聴くことも出来る。
【図面の簡単な説明】
【００１０】
【図１】本考案のピッタリ固定装着できる小物収納携帯バンド。
【図２】本小物収納携帯バンドの一部切欠断面図である。
【符号の説明】
【００１１】  １  バンド本体
２  小物収納ポケット
３  ジッパー
４  開口穴
５  イヤホーン
６  コード掛け
７  ストラップ
８  長さ調整バックル
９  Ｏｎ−Ｏｆｆ接合バックル
１０  パッティング部
【図１】
0003101941.tif 000003
【図２】
0003101941.tif 000004
(57)【要約】【課題】ごみ箱の中に入れたごみ袋がずり落ちたり、風に飛ばされるのを防ぎ、かつ、そのごみ箱に捨てるべきごみの種類を表示しようとするものである。【解決手段】ごみ箱の上端に溝のついた板状のものをはめ込んで、ごみ袋の固定とそのごみ箱に捨てられるべきごみの種類の表示をする。【選択図】      「図１」
0003101944.tif 000002
【実用新案登録請求の範囲】
【請求項１】
ごみ箱の中に入れるごみ袋をごみ箱上端で固定するための突起部を持つ溝のあることを特徴とするごみ箱表示板。
【考案の詳細な説明】
【技術分野】
【０００１】本考案は、ごみ箱の中に入れるごみ袋をごみ箱の上端に固定し、かつ、そのごみ箱に捨てるごみの種類を明示するためのごみ箱表示板に関するものである。
【背景技術】
【０００２】一般に、ごみ箱はその中にごみ袋を入れて使用される。ごみ袋はごみ箱の上端で折り返した形で使われている。その際、ごみ袋がごみ箱の中にずり落ちたり、屋外で使用されているときは風でごみ袋が飛ばされてしまうことが、日常見受けられる。又、ごみ箱に捨てるべきごみの種類がごみ箱の側面に表示されていたりするが、折り返したごみ袋がその表示を隠してしまうこともある。
【考案の開示】
【考案が解決しようとする課題】
【０００３】ごみ箱の中に入れたごみ袋がずり落ちたりするのを防ぎ、かつ、そのごみ箱に捨てるべきごみの種類をわかりやすく表示しようとするものである。
【課題を解決するための手段】
【０００４】ごみ箱は円筒形や箱型であることが多い。そのごみ箱の上端に溝のついた板状のものをはめ込んで、ごみ袋の固定とそのごみ箱に捨てられるべきごみの種類を表示しようとするものである。ごみ箱表示板をごみ箱上端にはめ込む際に、はめ込み、取り外しが簡便にできるように、表示板は弾力性のある材質で作る必要がある。又、ごみ箱の上端は円弧状や直線状の形状をしており、そこに簡便にはめ込むことができ、かつ、しっかりと固定できるように溝の中に３個の凸部を設ける。１個は溝の中央部に、あとの２個は溝の両端に中央の１個と対面する形で設ける。さらに、ごみ袋をごみ箱の上端２〜４箇所で固定するために、表示板の他に溝の部分だけのもの１〜３個を付属品として１組とする。
【考案の効果】
【０００５】ごみ袋がごみ箱上端で折り返されただけでは、ごみ箱の中へずり落ちたり、屋外で使用される時は風で飛ばされたりすることがある。本考案はそれをしっかりと固定できる。又、捨てるべきごみの種類はごみ箱の側面に表示されることが多いが、位置が低くて見えにくいということがあり、かつ、ごみ箱の上端で折り返されたごみ袋が、ごみ箱の側面に表示された文字を覆い隠してしまうこともある。この表示板はごみ箱の上部に位置して捨てるべきごみの種類を明示することができる。ごみの分別が大変重要になっている昨今、非常に有用である。
【考案を実施するための最良の形態】
【０００６】ごみ箱の大きさに合わせて、異なる大きさの表示板を製作する。又、表示板の固定力を確保するため弾力性のある材質で製作する。
【図面の簡単な説明】
【０００７】
【図１】「表示板本体の斜視図である」
【図２】「表示板本体を正面から見た正面図である」
【図３】「表示板本体を右側面から見た側面図である」
【図４】「表示板本体を上面から見た上面図である」
【図５】「付属品の斜視図である」
【図１】
0003101944.tif 000003
【図２】
0003101944.tif 000004
【図３】
0003101944.tif 000005
【図４】
0003101944.tif 000006
【図５】
0003101944.tif 000007
(57)【要約】【課題】道路切断機において切断作業走行時、安定した直進走行性能を得る。【解決手段】作業用自在車輪１Ｌ、１Ｒは連結ピン３ａ，３ｂを介して連結桿２と平行リンク機構を形成して連結されている。走行時の偏心量に対する補正量である作業用自在車輪１Ｌ、１Ｒの傾き角αを保持するために、連結桿２に接合されているネジ４をナット６ａ、６ｂにて固定板７に固定し、連結桿２の位置を保持する。【選択図】図１
0003101948.tif 000002
【実用新案登録請求の範囲】
【請求項１】
道路切断機の進行方向を保持する作業用自在車輪と、道路切断機進行方向に対する該作業用自在車輪の傾きを操るための連結桿と、該連結桿と作業用自在車輪とを連結する連結ピンと、該連結桿にピン接合されているネジと、該ネジを固定板に固定するためのナットとを有することを特徴とする道路切断機用直進走行保持装置。
【考案の詳細な説明】
【技術分野】
【０００１】
本考案は、道路切断機の直進走行保持装置に関する。
【背景技術】
【０００２】
従来の道路切断機は切断走行すると進行方向がブレード設置側に湾曲していくという傾向があり、特にブレードを道路面に対して傾斜させて切断する斜め切り工法の場合は顕著で、その都度運転者が操作桿を操り進行方向の補正を行っている。
【０００３】
しかし、道路切断機を運転しながら重量物である道路切断機の操作桿を操るには相応の力を有し、かつ運転操作性も悪くなり安全性にも影響をおよぼす。
【０００４】
さらに、道路切断機の直進性が得られないと、ブレード自体が湾曲することによって走行抵抗が増大し動力の損失をもたらしている。
【考案の開示】
【考案が解決しようとする課題】
【０００５】
本考案は、道路切断機に設置することによって「安定した直進走行性能を得る」という課題を解決した直進走行保持装置を提供することを目的とする。
【課題を解決するための手段】
【０００６】
本考案は、以上の課題を解決するために、道路切断機の進行方向を保持する作業用自在車輪と、道路切断機進行方向に対する該作業用自在車輪の傾きを操るための連結桿と、該連結桿と作業用自在車輪とを連結する連結ピンと、該連結桿にピン接合されているネジと、該ネジを固定板に固定するためのナットとを有することを特徴とする。
【考案の効果】
【０００７】
本考案にて安定した直進走行性能を得ることによって、運転者が道路切断機の操作桿を操り進行方向の補正を行っていたのが不要となり、運転操作性および安全性の向上にも寄与し、運転者に労力の軽減をもたらすことができる。
【０００８】
さらに、道路切断機の直進性が得られることによって、切断作業中に発生していたブレードの湾曲が減少し、動力の損失も少なくなる。
【考案を実施するための最良の形態】
【０００９】
図１は、道路切断機の斜め切り工法において、作業用自在車輪をブレード設置側と反対側に傾けた状態を表している平面図である。
【００１０】
図１において、１Ｌおよび１Ｒは作業用自在車輪で移動用車輪１４の前方に設置され、２は連結桿、３ａ、３ｂは連結ピンを表し、作業用自在車輪１Ｌ、１Ｒを連結桿２と連結せしめている。
【００１１】
連結桿２の端部には接合ピン５によって接合されているネジ４が設けられ、ナット６a、６bによってネジ４が固定板７に固定され、連結桿２を介して作業用自在車輪１Ｌ、１Ｒの傾き角が保持される。
【００１２】
１１は道路を切断するためのブレード、１２は道路切断機本体１０を操る操作桿、１３は駆動輪、１４は移動用車輪を各々表している。
【００１３】
図２は正面図を表し、ブレード１１側から見ている。
【実施例】
【００１４】
図１において、作業用自在車輪１Ｌ、１Ｒはブレード１１側と反対側に傾き角α傾けて固定されている状態を表し、この傾き角αは切断作業時に道路切断機がブレード１１側へ進行方向が湾曲していく偏心量に対する補正量で切断条件によって決められる。
【００１５】
作業用自在車輪１Ｌ、１Ｒは連結ピン３ａ，３ｂを介して連結桿２と平行リンク機構を形成して連結されている。
【００１６】
作業用自在車輪１Ｌ、１Ｒの傾き角αを保持するために、連結桿２の端部に接合ピン５によって接合されているネジ４をナット６ａ、６ｂにて固定板７に固定することによって連結桿２の位置を保持する。
【００１７】
図２は、移動用車輪１４が上昇保持され、傾き角αを保持された作業用自在車輪１Ｌ、１Ｒが道路面に接地し、道路切断機の切断作業状態を表している。
【００１８】
従来は運転者が操作桿１２を操り道路切断機本体１０の直進方向を保持していたが、本考案の連結桿２の位置を保持することによって作業用自在車輪１Ｌ、１Ｒの傾き角αを保持できるので道路切断時には直進性が得られる。
【図面の簡単な説明】
【００１９】
【図１】作業用自在車輪をブレード１１設置側と反対側に傾けた状態を表している平面図。
【図２】切断作業状態を表している正面図。
【符号の説明】
【００２０】
１Ｌ  作業用自在車輪
１Ｒ  作業用自在車輪
２    連結桿
３ａ  連結ピン
３ｂ  連結ピン
４    ネジ
５    接合ピン
６ａ  ナット
６ｂ  ナット
７    固定板
１０  道路切断機本体
１１  ブレード
１２  操作桿
１３  駆動輪
１４  移動用車輪
【図１】
0003101948.tif 000003
【図２】
0003101948.tif 000004
(57)【要約】      （修正有）【課題】立体作品を変形させることなく、また、立体作品の素材を変質させることなく、立体作品を照明することができる立体作品用のフレームを提供する。【解決手段】立体作品を収容する立体作品用のフレームにおいて、立体作品全体に光をあてる手段として、冷陰極管を用い、立体作品の一部を照明するためには、発光ダイオードが用いられる。【選択図】図１
0003101942.tif 000002
【実用新案登録請求の範囲】
【請求項１】
立体作品を収容する立体作品用のフレームにおいて、立体作品に光をあてる手段として、冷陰極管を用いたことを特徴とする立体作品用のフレーム。
【請求項２】
上記冷陰極管が立体作品全体を照明するために用いられ、立体作品の一部を照明するためには、発光ダイオードが用いられることを特徴とする請求項１に記載の立体作品用のフレーム。
【請求項３】
立体作品を少なくとも光を通すアクリル板の正面に取り付け、上記冷陰極管を上記アクリル板の背面側に配置することを特徴とする請求項１に記載の立体作品用のフレーム。
【請求項４】
立体作品をアクリル板で囲い、該アクリル板に上記冷陰極管から光をあてることを特徴とする請求項１に記載の立体作品用のフレーム。
【請求項５】
立体作品が紙から作成されることを特徴とする請求項１に記載の立体作品用のフレーム。
【考案の詳細な説明】
【技術分野】
【０００１】  本考案は、立体作品用のフレームに関する。
【背景技術】
【０００２】  立体作品を収容するためのフレームが特許文献１に開示されている。立体作品は、例えば、クラフトを重ね合わせて作成され、特許文献１記載のフレームは、こうして作成された立体作品を収容するものである。このような立体作品を収容したものは、シャドーボックスや３Ｄアートと呼ばれており、鑑賞用の芸術作品として知られている。【０００３】
【特許文献１】特開２００１−１９９４８３号公報
【考案の開示】
【考案が解決しようとする課題】
【０００４】  ところで、シャドーボックスや３Ｄアートの分野では、立体作品の芸術性やその魅力を高めるために、立体作品に光をあてることによって、立体作品に遠近感や立体感を与えることが行われている。ここで、立体作品に光をあてるものとして、蛍光灯や白熱灯を使用すると、これら蛍光灯や白熱灯に生じる熱により、立体作品が変形したり、立体作品の素材が変質したりしてしまう。特に、このことは、立体作品の素材がクラフトなどの紙である場合に、顕著に現れる。
そこで、本考案の目的は、立体作品を変形させることなく、また、立体作品の素材を変質させることなく、立体作品を照明することができる立体作品用のフレームを提供することにある。
【課題を解決するための手段】
【０００５】  上記課題を解決するために、１番目の考案では、立体作品を収容する立体作品用のフレームにおいて、立体作品に光をあてる手段として、冷陰極管を用いた。
２番目の考案では、１番目の考案において、上記冷陰極管が立体作品全体を照明するために用いられ、立体作品の一部を照明するためには、発光ダイオードが用いられる。
３番目の考案では、１番目の考案において、立体作品を少なくとも光を通すアクリル板の正面に取り付け、上記冷陰極管を上記アクリル板の背面側に配置する。
４番目の考案では、１番目の考案において、立体作品をアクリル板で囲い、該アクリル板に上記冷陰極管から光をあてる。
５番目の考案では、１番目の考案において、立体作品が紙から作成される。
【考案の効果】
【０００６】  本考案によれば、立体作品に光をあてる手段として、熱をほとんど発生しない冷陰極管を用いているので、立体作品に光をあてたとしても、立体作品が変形することが抑制され、また、立体作品の素材が変質することが抑制される。
また、冷陰極管には、通常の照明器具に比べて、その寿命が長く、また、消費電力が少ない点でも利点がある。
【考案を実施するための最良の形態】
【０００７】  以下、図面を参照して本考案の実施の形態について説明する。図１は、本考案の実施形態のフレームの正面図である。本実施形態のフレームは、長方形の板１を具備し、この板１の中央には、長方形の開口２が設けられている。また、板１の前面には、布または紙３が貼り付けられている。布または紙３は、例えば、５ｍｍほどの厚さのものである。また、開口２を画成する板１の４つの壁面には、それぞれ、直方体で無色透明のアクリル板４が取り付けられている。【０００８】  さらに、板１の前面には、飾り止め化粧ビス・スペーサー・ナット・サラ子ネジ（以下単に「ネジ」という）５によって、無色透明のアクリル板６が取り付けられている。このアクリル板６は、開口２内に配置されたアクリル板４から一定の距離を開けて位置すると共に、少なくとも、開口２全体を覆うように配置されている。【０００９】  一方、板１の背面には、少なくとも、開口２全体を覆うように、直方体の箱７が取り付けられている。箱７内には、保護用パイプ着きの冷陰極管（Ｃｏｌｄ  Ｃａｔｈｏｄｅ  Ｆｌｕｏｒｅｓｃｅｎｔ  Ｌａｍｐ）８と、交流電流を直流電流に変換するための変換器９と、インバーター基盤１０とが配置されている。変換器９には、電気コード１１が接続されている。電気コード１１から供給される電力は、順に、変換器９，インバーター基盤１０を介して冷陰極管８に供給される。また、本実施形態では、開口２を覆うように、板１の背面側に、白色で半透明のアクリル板１２が取り付けられている。【００１０】  立体作品１３は、開口２内に配置されたアクリル板４と、板１の正面側に配置されて開口２全体を覆うアクリル板６と、板１の背面側に配置されて開口２を覆うアクリル板１２とによって画成される空間内に配置される。【００１１】  冷陰極管８に電力が供給されると、この冷陰極管８から光が発せられ、白色半透明のアクリル板１２を介して、立体作品１３に光があてられる。また、冷陰極管８から発せられた光は、開口２内に配置されたアクリル板４をも照明し、これらアクリル板４全体が光ると共に、特に、これらアクリル板４の正面の端面が強く光る。すなわち、アクリル板４は、エッジライトとして機能する。【００１２】  板１の背面側に配置されている白色半透明のアクリル板１２を、例えば、赤や緑といった色のついた半透明のアクリル板１２に換えることにより、立体作品１３を照らす光の色を変えることができる。もちろん、開口２内に配置されている無色透明のアクリル板４を、色のついた半透明のアクリル板に換えてもよい。【００１３】  なお、冷陰極管８は、立体作品１３全体を照明するものであるが、立体作品１３を局部的に照明するために、照明させたい箇所に、発光ダイオードを配置してもよい。また、冷陰極管８の光を効果的に反射させるために、箱７の内壁面に白色で紙製のマットを貼り付けてもよい。また、箱７内部に容易にアクセスできるように、取外し可能な蓋を箱７に設けてもよい。
【図面の簡単な説明】
【００１４】
【図１】本考案の実施の形態のフレームの正面図である。
【図２】図１に示したフレームの背面図である。
【符号の説明】
【００１５】１…板
２…開口
３…布または紙
４、６、１２…アクリル板
５…ネジ
７…箱
８…冷陰極管
９…変換器
１０…インバーター基盤
１１…電気コード
１３…立体作品
【図１】
0003101942.tif 000003
【図２】
0003101942.tif 000004
(57)【要約】【課題】  本考案は収納ケース１をトラックの荷台前部に装着させ、建設業者が使用する箒等の長い棒状の清掃用具５を収納することにより、トラック走行中における道路への落下の危険を防止する。【解決手段】  本考案は収納ケース１内に仕切り４を設け複数の収納スペース２を設ける。また、収納ケースを取り付けバンド３によりトラックの荷台前部に締め付け固定させることにより清掃用具５の収納に安定性が生じ、トラック走行中おける落下をなくすのに役立つ。【選択図】  図１
0003101923.tif 000002
【実用新案登録請求の範囲】
【請求項１】
トラックの荷台前部に取り付ける収納ケース１内に仕切り４を設け複数の収納スペース２を設ける。収納スペースには底板を設けず空洞状にしておく。収納ケースをトラックの荷台前部に取り付けバンド３により締め付け固定する場合、収納スペースが空洞状の為、固定位置を収納品である建設業者が使用する箒等の棒状の長い清掃用具５を安定収納させる位置に合わせることができる。これらのことによって、トラックの走行中における清掃用具の道路への落下防止を可能にすることを特徴とする、建設業者のトラックに装着させる清掃用具収納ケース。
【考案の詳細な説明】
【技術分野】
【００１】  本考案は、トラックの荷台前部に清掃用具を収納するのに適した収納ケースに関するものである。
【背景技術】
【００２】  建設業者は作業上使用する箒等の長い棒状の清掃用具をトラックに載せる場合、適当な収納ケースを用いることなくそのまま載せていた。
【考案の開示】
【考案が解決しようとする課題】
【００３】  箒等の長い棒状の清掃用具を収納ケースを用いずにトラックに載せたまま走行するのは、清掃用具自体が軽量ということもあり、走行中に道路へ落下する危険が発生していた。従って、収納ケースを荷台前部に装着することによって、前述の欠点を解決しようとしたものである。
【課題を解決するための手段】
【００４】  本考案は、収納ケース１内に仕切り４を設け複数の収納スペース２を設ける。収納ケースをトラックの荷台前部に取り付けバンド３により締め付け固定させ、清掃用具５を各収納スペースに縦の状態において収納することにより清掃用具の収納状態を安定させることにより問題点を解決している。
【考案の効果】
【００５】  収納スペースには底板を設けない為、箒等の長い棒状の清掃用具を収納した場合、清掃用具を安定させる位置に収納ケースを上下移動させトラックの荷台前部に締め付け固定させることができる。このことにより、清掃用具の収納状態は安定し走行中の落下を防止することができる。また、底板を設けていないことにより、降雨の際に雨水が収納スペースに溜まることがなく、清掃用具の腐食を避けることができる。また、収納スペースを複数設けることにより、清掃用具の種類に応じてそれぞれ収納ができ、清掃用具の数量の確認が容易となり当該清掃用具の紛失防止に役立つ。また、清掃用具を定められた場所に立てかけた状態において収納することによって他の積載の妨げにならないようにすることができる。
【考案を実施するための最良の形態】
【００６】  収納ケース内に仕切りを設け収納スペースを複数設ける。収納スペースには底板は設けず空洞状態にする。収納ケースにはトラックの荷台前部に締め付け固定させる為の取り付けバンドを設ける。
【図面の簡単な説明】
【００７】
【図１】本考案の収納ケースの平面図である。
【図２】本考案の収納ケースの正面図である。
【図３】本考案の収納ケースを装着したトラックの側面図である。
【符号の説明】
【００８】１  収納ケース
２  収納スペース
３  取り付けバンド
４  仕切り
５  清掃用具
【図１】
0003101923.tif 000003
【図２】
0003101923.tif 000004
【図３】
0003101923.tif 000005
(57)【要約】【課題】  例えば、風呂水、水泳プールの水等を浄化すること、冷蔵庫内、下駄箱内、クローゼット内等の悪臭を消臭することを可能にする簡易浄化、消臭装置を提供する。【解決手段】  ステンレス製線材等の耐腐蝕性材料からなる金網体と、金網体支持骨と、によって形成される網箱本体と、ステンレス製線材等の耐腐蝕性材料からなる金網体と、金網支持骨と、によって形成される押え蓋と、前記網箱本体の底部に配置される木炭等の浄化、消臭材料と、を備えてなる簡易浄化、消臭装置。【選択図】  図１
0003101924.tif 000002
【実用新案登録請求の範囲】
【請求項１】
ステンレス製線材等の耐腐蝕性材料からなる金網体と、金網体支持骨と、によって形成される網箱本体と、ステンレス製線材等の耐腐蝕性材料からなる金網体と金網支持骨とによって形成される押え蓋と、前記網箱本体の底部に配置される木炭等の浄化、消臭材料と、を備えてなることを特徴とする浄化、消臭装置。
【考案の詳細な説明】
【考案の詳細な説明】
【技術分野】
【０００１】  本考案は、例えば、風呂水、水泳プール水等の浄化、および／または、冷蔵庫内部、下駄箱内部、クローゼット内部等の消臭、室内の空気清浄化等を図ることができる簡易浄化、消臭装置に関するものである。
【背景技術】
【０００２】  従来、例えば、家庭用風呂水等の浄化には、確固たる浄化作用を簡易に果たす装置が用いられていない。また、水泳プールに貯まった水等を浄化するには大掛かりな浄化設備が必要になり、不経済である。
更に、玄関内の下駄箱や、冷蔵庫の内部に発生する悪臭は、市販の容器入り活性炭の使用によって消臭することが可能であるが、この種の容器入り活性炭は、消臭持続期間が比較的短く、そのため、取替えが頻繁になる。
【考案が解決しようとする課題】
【０００３】  本考案は、上記のような問題点に着目して提案されたもので、その目的とするところは、家庭用浴槽内に貯まる風呂水の浄化、水泳プールの貯水浄化、冷蔵庫内の消臭、下駄箱内の消臭、クローゼット内の消臭、更には、汚染された室内空気の清浄化等を、有効に達成することができる簡易浄化、消臭装置を提供することにある。
【考案が解決しようとする手段】
【０００４】  上記目的を達成する本考案は、ステンレス製線材等の耐腐蝕性材料からなる金網体と金網体支持骨とによって形成される網箱本体と、ステンレス製線材等の耐腐蝕性材料からなる金網体と金網支持骨とによって形成される押え蓋と、前記網箱本体の底部に配置される木炭等の浄化、消臭材料と、を備えてなることを特徴とする。
【考案を実施するための最良の形態】
【０００５】  本考案は、図１に示す金網製網箱本体と、この金網製網箱本体の押え蓋と、前記金網製網箱本体の底部に配置される木炭等の浄化、消臭材料と、を有して形成される簡易浄化、消臭装置に係る。
【実施例】
【０００６】  本考案の実施例を図面に基き説明すると、図面符号１は、本考案に係る簡易浄化、消臭装置の金網製網箱本体、２は金網押え蓋を示し、金網製網箱本体１、金網製押え蓋２は、ともに、ステンレス製線材等の耐腐蝕性材料からなる金綱体８によって形成され、金網支持骨４は、耐腐蝕性の金属材料によって形成される。【０００７】  前記金網製網箱本体１の底部５には、適量の木炭等の浄化、消臭材料６（例えば、備長炭）が配置される。【０００８】  そして、前記の金網製網箱本体１と、前記の金網製押え蓋２と、木炭等の浄化、消臭材料６は、一組のセットとなって、浴槽７の底部８に配置され、そして、前記木炭等の浄化、消臭材料６によって浴槽７内に貯まる汚れた風呂水の自然浄化を可能にすることができる（図２参照）。
なお、図２に示す使用態様の場合は、金網製網箱本体１に取付けた吊具を利用して、本案品を浴槽７に係架するようにしたものである。【０００９】  また、本考案装置を水泳プール９の底部１０に配置することで、プール９内のプール水浄化を可能にする（図３参照）。【００１０】  更に、本考案装置を冷蔵庫１１内に配置することで、庫内の悪臭を消臭することが可能になる（図４参照）。【００１１】  しかも、本考案装置を下駄箱１２内に配置した場合、下駄箱１２内に滞る悪臭を消臭することが可能になる（図５参照）。【００１２】  また、本考案装置をクローゼット１３内に配置すると、クローゼット１３内の臭気を消臭することが可能になる（図６参照）。【００１３】  前記したような浄化効果、消臭効果は、木炭自体が多孔質固体であり、かつ、複雑な空隙構造を形成し、汚水などを吸着し浄化する性質、悪臭を吸着し、消臭する性質を有しているからである。
【考案の効果】
【００１４】  従って、本考案装置は、浴槽内に貯まる風呂水、水泳プール内に貯まる水、室内空気の自然浄化を可能にするばかりでなく、冷蔵庫、クローゼット、下駄箱内部に滞る悪臭等を自然消臭することができるという著効がある。
【００１５】  更に、本考案装置は簡単構造、堅牢構造であり、それと相俟って、使い勝手が良く、更には、使用時にあっては、金網製網箱本体の底部に配置した前記の浄化、消臭材料を金網製押え蓋が押さえるため、金網製網箱本体の底部に配置した前記浄化、消臭材科が抜出するのを解消することができ、この金網製押え蓋を取出せば、前記浄化、消臭材料の洗浄または交換等を簡単に行うことができるという効果を奏する。
【図面の簡単な説明】
【図１】本考案装置の構造説明図である。
【図２】本考案装置の使用説明図である。
【図３】本考案装置の使用説明図である。
【図４】本考案装置の使用説明図である。
【図５】本考案装置の使用説明図である。
【図６】本考案装置の使用説明図である。
【符号の説明】
１      金網製網箱本体
２      金網製押え蓋
３      金網体
４      金網体支持骨
５      底部
６      浄化、消臭材料
【図１】
0003101924.tif 000003
【図２】
0003101924.tif 000004
【図３】
0003101924.tif 000005
【図４】
0003101924.tif 000006
【図５】
0003101924.tif 000007
【図６】
0003101924.tif 000008
(57)【要約】【課題】  履物をはいたまま着る足元から腰の部分までおおう袋状の雨具である。【解決手段】８の部分に履物をはいたまま足を入れ、７の部分で足首上部に軽く固定される。２のウエスト部前あき部分を作ることで、着脱しやすくし３のマジックテープで止める。４の伸び縮みするゴム等をつけたギャザー部分でウエスト部に固定及び、身ごろのゆるみを確保できる。５の前面横斜め下に空き部分をつくり、空き上部の上からかぶせるようにふた状のひだをつけることにより水滴等が入るのを防ぎ着ている物のポケットから物が出せるようにする。１の中心線にあるひだは足首上部付近で扇状に開閉することにより動きやすくなる。【選択図】  図１
0003101922.tif 000002
【実用新案登録請求の範囲】
【請求項１】
履物をはいたまま、和装  洋装を問わず、足元から腰の部分まで、防水性のあるうすく、やわらかい素材でおおう袋状の雨具
【考案の詳細な説明】
【技術分野】
【０００１】  本考案は、履物をはいたまま着る足元から腰までおおう袋状の雨具である。
【背景技術】
【０００２】  通常雨等の時に、履物とコートは別々で、足元と着ている物の裾から上部がぬれたり汚れることが多かった。雨用コートを着ても履物との間がどうしても防水ができなかった。
【考案の開示】
【考案が解決しようとする課題】
【０００３】  履物をはいたまま、足元から腰の部分まで袋状の防水性のよい、薄くやわらかな素材でおおうことにより、履物及び着ている物の裾から上の汚れやぬれることを防ぐことである。
【考案を解決するための手段】
【０００４】  歩きやすいように履物をはいた左右の足それぞれ袋状の物に入れ、足首の上部で伸び縮みするゴム等を素材の内側につけ軽く足に止まるようにした後、足首の上部で左右の袋状の物が一つの袋状になり腰の部分までおおう形とする。防水性のあるやわらかな素材で作ることにより着脱簡単や携帯に便利にし、使用後に汚れが内側になるように足元内側を上にしてたたみ収納ケースに収め再使用時にそのまま広げれば汚れずに着ることができる。
【考案の効果】
【０００５】  履物をはいたまま腰の部分まで袋状の雨具を着ることにより、履物及び足元、着ている物の裾から上の汚れや、ぬれることを防ぐことができる。外出時、着脱簡単で携帯でき便利にたためて、収納ケースから出せば汚れずに再利用できる。
【考案を実施するための最良の形態】
【０００６】  図にそって説明する。
図１は全体図である。
１  １の部分後ろ、中心部分上部は固定しこれより下へ左右に扇状に広がるひだとする。
２  ２の前中心空き部分下のヒダと通じる。２の縦の空き部分はそのままにし、歩行時の空気孔とする。
３  前あき上部左右に、マジックテープをつけて止める。
４  ウエスト部分後ろ、上部固定部分より前あき部分の間に、伸び縮みしすべりにくい細いゴム等を等間隔に３本ほどつけギャザーとし、サイズ調整及びすべり止めとなり腰の部分に固定しやすくする。
５  前面ウエストより斜め下に空きを作り、素材がかぶるようにふた状のひだを作ることにより水滴等が入りにくくする。ここから、手が出し入れできるようにすることにより着ている物のポケットから物が出せるようにする。
６  足首上部で扇状に広がるひだ。
７  足首上部内側に、伸び縮みするすべりにくい細いゴム等を２〜３本ゆるくつけ足元の出し入れをしやすくし、また、足首に軽く止まるようにすることで歩きやすくする。
８  履物の側面及び底部の全体にあたる外側部分に薄いビニール等の補強をし、この内側部分の履物の収まる側面部分に伸び縮みするすべりにくいゴム等を等間隔につけ履物に固定しやすくする。
９  履物のあたる底部の外側のかかと部分や前の部分にすべりにくい薄いゴム、または、プラスチック等の物をつけ補強とする。
図２は収納ケース
１０  雨具をたたみ、持ち運びしやすい薄くやわらかいケースに納める。ぬれている外側を中に入れるようにしまうことで再度使用するときに汚れていない内側に足元を入れ使用できる。
【実施例】
【０００７】  履物をはいたまま腰の部分までおおうことにより和装の場合、草履、足袋と裾から帯中央と、洋装のロングスカート、パンツ等と履物を雨のぬれや泥はね等の汚れから守り、雨の日でも安心して外出でき、外出先でこの雨具を脱いでも足元内側のぬれている方を外側にしてたたみケースに入れることにより再度着用するときも汚れのない内側から着ることができる。また、足のけが等で履物のはけない人や、車イス等で雨の日に外出するとき便利である。そして、素材を和装、おしゃれ着用の薄くやわらかで透明、または、半透明の物と、通勤、通学、その他、普段使用の丈夫でやわらかい防水性のあるものとにすると使用範囲が広がる。
【図面の簡単な説明】
【０００８】
【図１】  全体図
【図２】  収納袋に収納された図
【符号の説明】
【０００９】  １  ウエスト後ろ中心固定部
２  前中心空き部分
３  ウエスト前中心空き上部マジックテープ
４  ウエストギャザー部
５  前面横上部斜め下空き部ふた状ひだ
６  後ろ中心から前中心ひだ
７  足首上部ギャザー部
８  足元側面ギャザー部薄い膜補強部
９  足底かかと前部すべり止め及び補強部
１０  収納ケース
【図１】
0003101922.tif 000003
【図２】
0003101922.tif 000004
(57)【要約】【課題】首輪主体の内側に広幅な柔軟性を有する首当てを取り付けることにより、犬の首部に作用する衝撃を緩和する。また、装飾性を高くして首輪の商品価値を高めるとともに、これを装着した犬の美的価値を高めることができるようにする。【解決手段】広幅かつ柔軟性を有する首当て（１１）を設け、該首当て（１１）の外側であってその幅方向中心部に小幅な帯状の首輪主体（１２）を一体的に重ね合せ、該首輪主体（１２）の両端部に環状の係止環（１３）を設ける。また、首当て（１１）はゴブラン織りの布材により二重の袋状にする。【選択図】図１
0003101958.tif 000002
【実用新案登録請求の範囲】
【請求項１】
広幅かつ柔軟性を有する首当て（１１）を設け、該首当て（１１）の外側であってその幅方向中心部に小幅な帯状の首輪主体（１２）を一体的に重ね合せ、該首輪主体（１２）の両端部に環状の係止環（１３）を設けたことを特徴とする犬の首輪。
【請求項２】
首当て（１１）は二重の袋状にしたことを特徴とする請求項１記載の犬の首輪。
【請求項３】
首当て（１１）はゴブラン織りの布材により形成したことを特徴とする請求項１又は２記載の犬の首輪。
【考案の詳細な説明】
【技術分野】
【０００１】
本考案は、犬の首輪に関するものである。
【背景技術】
【０００２】
従来の技術として、図３に示すものがあった。図３において、１は首輪であり、張力を有する革材、プラスチック材等により小幅な帯状の首輪本体２を形成し、該首輪本体２の両端部に鎖挿通用のリング体３を取り付ける。上記各リング体３に所定長さの締付用緩衝鎖４を摺動可能に挿通した後、その両端を結合して無端状にする。上記締付用緩衝鎖４の一重部に紐体５を連結し、該紐体５を引っ張った際に締付用緩衝鎖４を介して首輪本体２の両端部を接近、つまり首輪本体２を締付け方向に湾曲させる。
【特許文献１】特開２００２−１１０号公報
【考案の開示】
【考案が解決しようとする課題】
【０００３】
上記従来のものは、首輪本体２が小幅な帯状となっていたので、首輪本体２を締付用緩衝鎖４を介して締付け方向に湾曲させると、この首輪本体２が犬の首部を強く圧迫することになる。また、首輪に装飾加工することが困難であるため、犬に美的価値を付与することができないものであった。本考案は、小幅な首輪主体の内側に広幅な首当てを重ね合わせることにより、上記不具合を解消した新規な犬の首輪を得ることを目的とする。
【課題を解決するための手段】
【０００４】
本考案は上記目的を達成するために、以下の如く構成したものである。即ち、請求項１に係る考案は、広幅かつ柔軟性を有する首当てを設け、該首当ての外側であってその幅方向中心部に小幅な帯状の首輪主体を一体的に重ね合せ、該首輪主体の両端部に環状の係止環を設ける構成にしたものである。
請求項２に係る考案は、前記首当ては二重の袋状にしたものである。
請求項３に係る考案は、前記首当てをゴブラン織りの布材により形成したものである。
【考案の効果】
【０００５】
本考案の請求項１に係る考案は、首輪主体が広幅かつ柔軟性を有する首当てを介して犬の首部に接するため、首輪主体が小径方向に変化した際に、該首輪主体が犬の首部に食い込むことがなく、犬に苦痛を付与することがなくなる。また、請求項２に係る考案は、前記首当てを二重の袋状にしたので、緩衝機能が高くなり、首輪主体が小径方向に変化した際に犬への衝撃がより緩和されることになる。また、請求項３に係る考案は、前記首当てをゴブラン織りの布材により形成したので、該首当てが犬の首部の形状に馴染み易くなり、犬への負担がより軽減されることになるとともに、首当てに刺繍を施したり、飾り物を縫い付けたりすることができ、犬に美的価値を付与することができる。
【考案を実施するための最良の形態】
【０００６】
以下本考案を図に基づいて説明する。図において、図１は本考案の実施例を示す斜視図、図２は図１の要部拡大断面図である。
【０００７】
図１、図２において、１０は首輪であり、首当て１１、首輪主体１２、調節体１４を主要部品として構成される。上記首当て１１は、ゴブラン織りした綿性の布材を図２に示すように袋状に逢着して広幅な帯状に形成する。例えば幅が約５ｃｍ、長さが後述する係止環１３を含み、装着する犬の首径に対して５ｃｍほど長くなるように形成する。
【０００８】
上記首当て１１の外側の幅方向中心部に張力に富んだ小幅な帯状の首輪主体１２を全長に亘って逢着する。この首輪主体１２の幅は、例えば上記首当て１１の幅に対して２ｃｍほど小さくし、該首輪主体１２の左右両端部にステンレス製の線材を半円形状に湾曲させた係止環１３を連結する。本例では、上記首輪主体１２を織り物により形成し、該首輪主体１２に刺繍、飾り物の縫い付け等が容易に行えるようにしている。
【０００９】
そして、各係止環１３同士をステンレス製の連結具１４により互いに連結することにより首輪１０を犬に装着する。また、犬を散歩に連れていく際には、上記連結具１４に飼い主が持つひき紐１５を連結して散歩に連れていく。なお、上記首当て１１はメリヤス、不織布等により形成するようにしてもよい。
【００１０】
上記実施例によれば、柔軟性を有する首当て１１が広い面積で犬の首回りに接するので、首輪主体１２が小径方向に変化して犬の首部を締めるようなことがあっても、該首輪主体１２の負荷が緩和されて犬の首部に作用し、犬への負担が少なくなる。また、図１、図２に示すように、柔軟性の有る首当て１１の幅方向両側１１ａが首輪主体１２からはみ出ているので、首輪主体１２の幅方向両側縁部が犬の首部に食い込むのを防止することができる。
【００１１】
特に、柔軟性が高くなるゴブラン織りの布材を二重の袋状にして首当て１１を形成したので、該首当て１１が犬の首部の形状に馴染み易くなるとともに、緩衝機能が高くなり、犬の首部への衝撃がより緩和されることになる。また、首当て１１の装飾、つまり刺繍を施したり、飾り物を縫い付けたりすることが容易に行え、犬の首輪として商品価値を高めることができるとともに、これを犬に装着して該犬の美的価値を高めることができる。
【図面の簡単な説明】
【００１２】
【図１】図１は本考案の実施例を示す斜視図である。
【図２】図１の要部拡大断面図である。
【図３】従来例を示す斜視図である。
【符号の説明】
【００１３】
１０    犬の首輪
１１    首あて
１１ａ  幅方向両側部
１２    首輪主体
１３    係止環
１４    連結具
１５    ひき紐
【図１】
0003101958.tif 000003
【図２】
0003101958.tif 000004
【図３】
0003101958.tif 000005
(57)【要約】      （修正有）【課題】自動車内や動きのある場所や狭い場所での多用途な使用を可能にする。【解決手段】吸盤１に球状の凹部２を設け、別に球状の凸部を持つプラスチック板３に両面テープ４やねじで物を固定し、凸部を凹部に差し込むことにより、物を吸盤にて固定し、揺れのある場所や物をつり下げる十分な場所での幅広い用途での活用を可能にしたものである。【選択図】図３
0003101988.tif 000002
【実用新案登録請求の範囲】
【請求項１】
吸盤の中心に球状の凹部を設け、そこに球状の凸部を持たせたプラスチック板を差し込み、板部に両面テープを用いて固定させたい物を張り付け、必要に応じて取り外したり固定したりできる機能を持たせたところを特徴とする吸盤である。
【考案の詳細な説明】
【技術分野】
【０００１】  この考案は、中心部に球状の凹部と、凸部を設けた部品とにより、固定と取り外しができる吸盤に関するものである。
【背景技術】
【０００２】  従来は、フックにより物を掛けたり穴に引っかけたり溝に挟み込んだりする方法で使われることが多かった。
【考案の開示】
【考案が解決しようとする課題】
【０００３】  従来の吸盤は、ガラス板や鉄板などの平滑な場所に吸盤を取り付け、物を掛ける用途が多かったが、動きのある場所での使用では掛けた物が揺れて安定しなかったりつり下げた物との接触部に傷を付けたりすることがあった。また、物をつり下げるだけの場所がない場合には使用できなかった。この吸盤は、これらの欠点を解決し、自動車内や動きのある場所や狭い場所での多用途な使用を可能にするものである。
【課題を解決するための手段】
【０００４】  本考案は、吸盤の中心の部分に球形の凹部と、凹部に差し込む球形の凸部を設けたプラスチック板に両面テープにて物を貼り付け、動きのある場所や狭い場所での物の固定を可能にし、問題点を解決している。
【考案の効果】
【０００５】  上記のように、今までフックにつり下げたり溝に挟む形式で使われていたが、球状の凸部を吸盤に設けた球状の凹部に差し込む機能を付けたため、動きのある場所や狭い場所での物の固定を容易にできる。
【考案を実施するための最良の形態】
【０００６】  吸盤本体の中心の突起部に球形の凹部を設ける。一方プラスチックの板の中央に凹部に球形の凸部を設け、対する面に両面テープにて固定したい物を貼り付ける。凹部と凸部は同じ大きさにし、吸盤の弾力により球状の凸部が凹部に入り容易に抜けないような直径の穴を設ける。吸盤を平滑な面に取り付け、プラスチック板の凸部を吸盤の凹部の穴に押し込み物を固定し、使用時には引き抜く。
【実施例】
【０００７】  以下、添付図面に従って実施例を説明する。１の吸盤の突起部に２の球状の凹部を設ける。別にプラスチック板の中心部に１と同じ球状の凸部を設ける。プラスチック板には両面テープやねじで固定するための穴を設け、固定したい物を貼り付けあるいはねじ止めする。その状態で球状の凸部を凹部の挿入口に差し込めば物が固定でき、引き抜けば使用できる。
【産業上の利用可能性】
【０００８】  従来は吸盤の下部に物をつり下げたり吸盤に挟み込んだりして使用する機能が重視されていたが、本考案により、吸盤に直接物を固定することが可能になる。従って吸盤の下部につり下げる十分な場所がなくても物を固定でき、揺れて落ちることもない。
【図面の簡単な説明】
【０００９】
【図１】吸盤と固定具の側面図である。
【図２】吸盤と固定具の正面図である。
【図３】使用時の側面図である。
【符号の説明】
【００１０】１  吸盤
２  球状の凹部
３  球状の凸部を付したプラスチック板（固定具）
４  両面テープ
５  ねじ止め用の穴
６  凸部挿入口
【図１】
0003101988.tif 000003
【図２】
0003101988.tif 000004
【図３】
0003101988.tif 000005